(57)【要約】【課題】リン酸ジブチル（ＤＢＰ）を効率よく分解処理することができるリン酸ジブチル分解装置及び放射性廃液のガラス固化処理装置を提供する。【解決手段】リン酸トリブチル（ＴＢＰ）及びリン酸ジブチル（ＤＢＰ）及び放射性物質を含む放射性アルカリ廃液１１を貯蔵する貯蔵タンク１２と、前記貯蔵タンク１２から抜き出される廃液１１を加熱し、リン酸ジブチル（ＤＢＰ）を加水分解処理する分解処理部１３と、前記分解処理部１３で分解処理された放射性廃液処理液１４を貯蔵する処理液タンク１５と、を具備する。【選択図】図１−１
2014232016.tif 000002
【特許請求の範囲】
【請求項１】
リン酸トリブチル（ＴＢＰ）及びリン酸ジブチル（ＤＢＰ）及び放射性物質を含む放射性アルカリ廃液を貯蔵する貯蔵タンクと、
前記貯蔵タンクから抜き出される放射性廃液を加熱し、リン酸ジブチル（ＤＢＰ）を加水分解処理する分解処理部と、
前記分解処理部で分解処理された放射性廃液処理液を貯蔵する処理液タンクと、を具備することを特徴とする放射性廃液中のリン酸ジブチル（ＤＢＰ）分解装置。
【請求項２】
請求項１において、
前記処理液タンク内の前記放射性廃液処理液中のリン酸ジブチル（ＤＢＰ）を測定する分析手段と、
前記分析手段の分析により、リン酸ジブチル（ＤＢＰ）が規定値以下の場合、前記放射性廃液処理液を送給して中和処理する中和タンクと、を具備することを特徴とする放射性廃液中のリン酸ジブチル（ＤＢＰ）分解装置。
【請求項３】
請求項１又は２において、
前記分解処理部内に、金属触媒を充填してなることを特徴とする放射性廃液中のリン酸ジブチル（ＤＢＰ）分解装置。
【請求項４】
請求項１又は２において、
前記分解処理部の前流側で、前記放射性廃液中に、酸化剤を添加する添加剤供給手段を有することを特徴とする放射性廃液中のリン酸ジブチル（ＤＢＰ）分解装置。
【請求項５】
請求項１乃至３のいずれか一つにおいて、
前記分解処理部の前流側で、前記放射性廃液中に、アルカリ剤を添加する添加剤供給手段を有することを特徴とする放射性廃液中のリン酸ジブチル（ＤＢＰ）分解装置。
【請求項６】
請求項１乃至３のいずれか一つにおいて、
前記貯蔵タンクと、前記分解処理部との間で、前記放射性廃液中に、酸化剤及びアルカリ剤を添加する添加剤供給手段を有することを特徴とする放射性廃液中のリン酸ジブチル（ＤＢＰ）分解装置。
【請求項７】
請求項１乃至６のいずれか一つにおいて、
前記処理液タンク内の前記放射性廃液処理液中のリン酸を固定するリン酸固定手段を有することを特徴とする放射性廃液中のリン酸ジブチル（ＤＢＰ）分解装置。
【請求項８】
請求項１乃至７のいずれか一つの放射性廃液中のリン酸ジブチル（ＤＢＰ）分解装置と、
処理液を中和処理した後の中和物をガラス固化するガラス固化装置とを具備することを特徴とする放射性廃液のガラス固化処理装置。
【発明の詳細な説明】
【技術分野】
【０００１】
本発明は、リン酸ジブチル分解装置及び放射性廃液のガラス固化処理装置に関するものである。
【背景技術】
【０００２】
例えば、使用済燃料再処理の際の溶媒抽出プロセス等で使用される溶媒として、リン酸トリブチル（ＴＢＰ：Ｔｒｉｂｕｔｙｌ Ｐｈｏｓｐｈａｔｅ）が用いられている（特許文献１）。この溶媒を用いて、例えば、ウラン（Ｕ）や、プルトニウム（Ｐｕ）などを抽出したアルカリ濃縮廃液は、高レベル廃棄ガラス固化処理工程で、貯蔵タンクに一時的に貯蔵される。
【先行技術文献】
【特許文献】
【０００３】
【特許文献１】特開平７−７２１３６号公報
【発明の概要】
【発明が解決しようとする課題】
【０００４】
この貯蔵の際、リン酸トリブチル（ＴＢＰ：Ｔｒｉｂｕｔｙｌ Ｐｈｏｓｐｈａｔｅ）が、放射化分解により、リン酸ジブチル（ＤＢＰ：Ｄｉｂｕｔｙｌ Ｐｈｏｓｐｈａｔｅ）に分解し、水相側に残り、後流側のガラス固化工程において、ガラス固化体に処理する際には、不純物の含有量が少ないことが求められている。特に、ガラス固化性の効率の観点から、不純物の濃度を規定値以下とすることが求められている。
【０００５】
本発明は、前記問題に鑑み、ガラス固化処理されるリン酸トリブチル（ＴＢＰ）中に含まれるリン酸ジブチル（ＤＢＰ）を効率よく分解処理することができるリン酸ジブチル分解装置及び放射性廃液のガラス固化処理装置を提供することを課題とする。
【課題を解決するための手段】
【０００６】
上述した課題を解決するための本発明の第１の発明は、リン酸トリブチル（ＴＢＰ）及びリン酸ジブチル（ＤＢＰ）及び放射性物質を含む放射性アルカリ廃液を貯蔵する貯蔵タンクと、前記貯蔵タンクから抜き出される放射性廃液を加熱し、リン酸ジブチル（ＤＢＰ）を加水分解処理する分解処理部と、前記分解処理部で分解処理された放射性廃液処理液を貯蔵する処理液タンクと、を具備することを特徴とする放射性廃液中のリン酸ジブチル（ＤＢＰ）分解装置にある。
【０００７】
第１の発明によれば、分解処理部で加水分解処理により、リン酸ジブチル（ＤＢＰ）を有機酸とリン酸とに分解することにより、放射性アルカリ廃液中のリン酸ジブチル（ＤＢＰ）濃度を所定濃度以下に低下させることができる。
【０００８】
第２の発明は、第１の発明において、前記処理液タンク内の前記放射性廃液処理液中のリン酸ジブチル（ＤＢＰ）を測定する分析手段と、前記分析手段の分析により、リン酸ジブチル（ＤＢＰ）が規定値以下の場合、前記放射性廃液処理液を送給して中和処理する中和タンクと、を具備することを特徴とする放射性廃液中のリン酸ジブチル（ＤＢＰ）分解装置にある。
【０００９】
第２の発明によれば、分析手段でリン酸ジブチル（ＤＢＰ）の濃度を測定して、規定値以下の場合には、中和処理を行い、規定値以上の場合には、上流側に戻すことで、再度リン酸ジブチル（ＤＢＰ）の分解を行う。
【００１０】
第３の発明は、第１又は２の発明において、前記分解処理部内に、金属触媒を充填してなることを特徴とする放射性廃液中のリン酸ジブチル（ＤＢＰ）分解装置にある。
【００１１】
第３の発明によれば、分解処理部で金属触媒と接触させて極圧反応分解させて、リン酸ジブチル（ＤＢＰ）を無機化させ廃液中のリン酸ジブチル（ＤＢＰ）を所定濃度以下に分解処理することができる。
【００１２】
第４の発明は、第１又は２の発明において、前記分解処理部の前流側で、前記放射性廃液中に、酸化剤を添加する添加剤供給手段を有することを特徴とする放射性廃液中のリン酸ジブチル（ＤＢＰ）分解装置にある。
【００１３】
第４の発明によれば、分解処理部の前流側で酸化剤を供給して、酸化分解させて、リン酸ジブチル（ＤＢＰ）を無機化させ廃液中のリン酸ジブチル（ＤＢＰ）を所定濃度以下に分解処理することができる。
【００１４】
第５の発明は、第１乃至３のいずれか一つの発明において、前記分解処理部の前流側で、前記放射性廃液中に、アルカリ剤を添加する添加剤供給手段を有することを特徴とする放射性廃液中のリン酸ジブチル（ＤＢＰ）分解装置にある。
【００１５】
第５の発明によれば、分解処理部の前流側でアルカリ剤を供給して、鹸化反応させて、リン酸ジブチル（ＤＢＰ）を無機化させ廃液中のリン酸ジブチル（ＤＢＰ）を所定濃度以下に分解処理することができる。
【００１６】
第６の発明は、第１乃至３のいずれか一つの発明において、前記貯蔵タンクと、前記分解処理部との間で、前記放射性廃液中に、酸化剤及びアルカリ剤を添加する添加剤供給手段を有することを特徴とする放射性廃液中のリン酸ジブチル（ＤＢＰ）分解装置にある。
【００１７】
第６の発明によれば、分解処理部の前流側で酸化剤及びアルカリ剤を供給して、酸化分解及び鹸化反応させて、リン酸ジブチル（ＤＢＰ）を無機化させ廃液中のリン酸ジブチル（ＤＢＰ）を所定濃度以下に分解処理することができる。
【００１８】
第７の発明は、第１乃至６のいずれか一つの発明において、前記処理液タンク内の前記放射性廃液処理液中のリン酸を固定するリン酸固定手段を有することを特徴とする放射性廃液中のリン酸ジブチル（ＤＢＰ）分解装置にある。
【００１９】
第７の発明によれば、放射性廃液処理液中のリン酸を固定化処理することができる。
【００２０】
第８の発明は、第１乃至７のいずれか一つの放射性廃液中のリン酸ジブチル（ＤＢＰ）分解装置と、処理液を中和処理した後の中和物をガラス固化するガラス固化装置とを具備することを特徴とする放射性廃液のガラス固化処理装置にある。
【００２１】
第８の発明によれば、リン酸ジブチル（ＤＢＰ）分解装置で、リン酸ジブチル（ＤＢＰ）を分解処理するので、ガラス固化効率が良好となる。
【発明の効果】
【００２２】
本発明によれば、放射性アルカリ廃液を抜き出し、分解処理部で加水分解処理させて、リン酸ジブチル（ＤＢＰ）を有機酸（ブチルアルコール）とリン酸とに分解することにより、廃液中のリン酸ジブチル（ＤＢＰ）を所定濃度以下に分解処理することができる。
【図面の簡単な説明】
【００２３】
【図１−１】図１−１は、実施例１に係る放射性廃液中のリン酸ジブチル（ＤＢＰ）分解装置の概略図である。
【図１−２】図１−２は、実施例１に係る他の放射性廃液中のリン酸ジブチル（ＤＢＰ）分解装置の概略図である。
【図２】図２は、実施例２に係る放射性廃液のガラス固化処理装置の概略図である。
【図３】図３は、実施例３に係る放射性廃液中のリン酸ジブチル（ＤＢＰ）分解装置の概略図である。
【図４】図４は、実施例４に係る放射性廃液中のリン酸ジブチル（ＤＢＰ）分解装置の概略図である。
【図５】図５は、実施例５に係る放射性廃液中のリン酸ジブチル（ＤＢＰ）分解装置の概略図である。
【図６】図６は、実施例５に係る他の放射性廃液中のリン酸ジブチル（ＤＢＰ）分解装置の概略図である。
【図７】図７は、実施例６に係る放射性廃液中のリン酸ジブチル（ＤＢＰ）分解装置の概略図である。
【発明を実施するための形態】
【００２４】
以下に添付図面を参照して、本発明の好適な実施例を詳細に説明する。なお、この実施例により本発明が限定されるものではなく、また、実施例が複数ある場合には、各実施例を組み合わせて構成するものも含むものである。
【実施例１】
【００２５】
図１−１は、実施例１に係る放射性廃液中のリン酸ジブチル（ＤＢＰ）分解装置の概略図である。図１−２は、実施例１に係る他の放射性廃液中のリン酸ジブチル（ＤＢＰ）分解装置の概略図である。
図１に示すように、本実施例に係る放射性廃液中のリン酸ジブチル（ＤＢＰ）分解装置１０Ａは、リン酸トリブチル（ＴＢＰ）及びリン酸ジブチル（ＤＢＰ）及び放射性物質を含む放射性アルカリ廃液（以下「廃液」という）１１を貯蔵する貯蔵タンク１２と、貯蔵タンク１２から抜き出される廃液１１を加熱し、リン酸ジブチル（ＤＢＰ）を加水分解処理する分解処理部１３と、前記分解処理部１３で分解処理された放射性廃液処理液１４を貯蔵する処理液タンク１５と、を具備するものである。
ここで、図１中、符号Ｌ1は廃液供給ライン、Ｌ2は廃液抜き出しライン、Ｌ3は処理液供給ライン、Ｌ4は処理液抜き出しライン、Ｌ5は処理液供給ライン、Ｌ6は処理液戻しライン、Ｐ1、Ｐ2はポンプを図示する。
【００２６】
被処理液である廃液１１は、例えばウラン（Ｕ）や、プルトニウム（Ｐｕ）などを抽出したアルカリ濃縮廃液であり、貯蔵タンク１２内では、上層１１Ａ、中層１１Ｂ、下層１１Ｃの三層に分離されていると想定される。なお、貯蔵タンク１２の底部には堆積物１１Ｄが沈殿されている。
【００２７】
ここで、下層１１Ｃは、水層であり、水層には硝酸ナトリウム（ＮａＮＯ3）、亜硝酸ナトリウム（ＮａＮＯ2）、炭酸ナトリウム（Ｎａ2ＣＯ3）が含まれる。また、中層１１Ｂは、リン酸トリブチル（ＴＢＰ）及びリン酸ジブチル（ＤＢＰ）及び水分であり、下層１１Ｃと同様に硝酸ナトリウム（ＮａＮＯ3）、亜硝酸ナトリウム（ＮａＮＯ2）、炭酸ナトリウム（Ｎａ2ＣＯ3）が含まれる。さらに、上層１１Ａは、リン酸トリブチル（ＴＢＰ）及びリン酸ジブチル（ＤＢＰ）である。
【００２８】
貯蔵タンク１２の底部より、廃液抜き出しラインＬ2により、廃液１１の下層１１Ｃ側から順に抜き出し、分解処理部１３を順次通過させる。
【００２９】
この分解処理部１３には、加熱手段（図示せず）が設けられており、例えば８０℃程度の加熱下において、リン酸ジブチル（ＤＢＰ）を加水分解させて、下記反応式（１）により、リン酸（Ｈ3ＰＯ4）として無機化させている。ここで、加熱温度を８０℃程度としているのはリン酸ジブチル（ＤＢＰ）の沸点（ｂｐ）が１３５℃であるからである。
【００３０】
[ＣＨ3(ＣＨ2)3Ｏ]2ＰＯＯＨ＋２Ｈ2Ｏ→２（Ｃ4Ｈ9ＯＨ）＋Ｈ3ＰＯ4・・・（１）
【００３１】
また、加水分解を確実に行わせるために、１０％相当の水を分解処理部１３に添加するようにしてもよい。
【００３２】
また、処理がなされていることを確認するために、処理液タンク１５内の処理液１４中のリン酸ジブチル（ＤＢＰ）の含有量を分析手段１６により測定するようにしている。なお、この分解処理部１３では、廃液中のリン酸ジブチル（ＤＢＰ）と共に、リン酸トリブチル（ＴＢＰ）も同時に分解処理されている。但し、本発明では、分析手段１６を用いて、不純物であるリン酸ジブチル（ＤＢＰ）が規定値以下に分解されているかを確認している。
【００３３】
そして、処理液１４中のＤＢＰ量が規定値（ＤＢＰ量が例えば６０ｐｐｍのときを規定値とする）以下のとき、処理液抜き出しラインＬ4に設けた切替弁１８を切替え、中和タンク１７へ処理液１４を処理液供給ラインＬ5により導入する。この中和タンク１７では、例えば硝酸などの酸が添加されて、中和処理される。
【００３４】
これに対して、規定値以上（ＤＢＰが例えば６０ｐｐｍ以上）のとき、切替弁１８を切替え、規定値以上である処理液１４を、貯蔵タンク１２又は分解処理部１３の前流側のいずれかに戻しラインＬ6-1、Ｌ6-2で戻し、再度処理する。
【００３５】
戻す程度は、ＤＢＰの濃度が、１００ｐｐｍ程度の場合、分解処理部１３の前に戻しラインＬ6-1で戻すようにしている。
また、分解処理が不十分な場合、貯蔵タンク１２の前に戻しラインＬ6-2で戻すようにしている。
【００３６】
分析手段１６としては、ガスクロマトグラフ質量分析（ＧＣ-ＭＳ）装置、高速液体クロマトグラフ（ＨＰＬＣ）装置などを用いることができる。
【００３７】
また、図１−２に示すように、この加水分解した処理液１４は、リン酸を含むので、処理液抜き出しラインＬ4に設けたカルシウム（Ｃａ）を充填した固定化槽１９を通過させ、ここでリン酸をアパタイト（Ｃａ5（ＰＯ4）3（ＯＨ））化させて、処理液１４中のリン酸を固定するようにしている。
【００３８】
本実施例によれば、放射性アルカリ廃液１１を徐々に抜き出しつつ、分解処理部１３で加水分解処理させて、リン酸ジブチル（ＤＢＰ）を有機酸（ブチルアルコール）とリン酸とに分解することにより、廃液中のリン酸ジブチル（ＤＢＰ）を所定濃度以下に分解処理することができる。
【実施例２】
【００３９】
図２は、実施例２に係る放射性廃液のガラス固化処理装置の概略図である。なお、実施例１に係る放射性廃液中のリン酸ジブチル（ＤＢＰ）分解装置の構成と重複する部材には同一符号を付してその説明は省略する。
本実施例に係る放射性廃液のガラス固化処理装置１００は、実施例１の放射性廃液中のリン酸ジブチル（ＤＢＰ）分解装置１０Ａと、中和処理後の中和物３０をガラス固化するガラス固化装置であるガラス溶融炉３２とを具備するものである。
【００４０】
実施例１の中和タンク１７で硝酸により中和された中和物３０は、中和物抜き出しラインＬ10を介して、混合タンク３１に供給される。この混合タンク３１は、高レベル濃縮廃液貯蔵手段３４からの廃液も供給される。そして、混合タンク３１から抜き出しラインＬ11により抜き出された中和物３０は、ガラス溶融炉３２でガラス固化処理され、ガラス固化物３３とされる。
【００４１】
実施例１の放射性廃液中のリン酸ジブチル（ＤＢＰ）分解装置１０Ａを用いて廃液中のＤＢＰの含有量を所定量以下とするので、不純物が少なく、ガラス固化性の効率が良好となる。また、分解処理されたリン酸も固定化槽を通過することで、アパタイト化処理され固定化される。
【実施例３】
【００４２】
図３は、実施例３に係るリン酸ジブチル（ＤＢＰ）分解装置の概略図である。なお、実施例１に係る放射性廃液中のリン酸ジブチル（ＤＢＰ）分解装置の構成と重複する部材には同一符号を付してその説明は省略する。
実施例３に係るリン酸ジブチル（ＤＢＰ）分解装置１０Ｂは、実施例１のリン酸ジブチル（ＤＢＰ）分解装置１０Ａにおいて、分解処理部１３Ａ内に、金属触媒を充填している。ここで、金属触媒としては、例えば鉄（Ｆｅ）を例示することができる。
なお、鉄以外の金属触媒としては、例えば亜鉛（Ｚｎ）又はマンガン（Ｍｎ）等を例示することができる。
【００４３】
徐々に抜き出された廃液１１に１０％相当の水を添加するか、又は８０℃程度の加熱下で、分解処理部１３Ａ内に充填した金属触媒である鉄（Ｆｅ）と接触させ、極圧反応を進行させて、下記反応式（２）により、ＦｅＰＯ4・２Ｈ2Ｏ、Ｆｅ2Ｐ、ＦｅＰ2として無機化させ、分離除去して処理するようにしている。
[ＣＨ3(ＣＨ2)3Ｏ]2ＰＯＯＨ＋ｎＦｅ（触媒）＋ｍＯＨ→２（Ｃ4Ｈ9ＯＨ）＋Ｆｅ2ＰＯ4・２Ｈ2Ｏ、Ｆｅ2Ｐ、ＦｅＰ2  ・・・（２）
【００４４】
本実施例によれば、放射性アルカリ廃液１１を徐々に抜き出しつつ、分解処理部１３Ａで極圧反応分解処理させて、リン酸ジブチル（ＤＢＰ）を無機化させ廃液中のリン酸ジブチル（ＤＢＰ）を所定濃度以下に分解処理することができる。
【実施例４】
【００４５】
図４は、実施例４に係るリン酸ジブチル（ＤＢＰ）分解装置の概略図である。なお、実施例１に係る放射性廃液中のリン酸ジブチル（ＤＢＰ）分解装置の構成と重複する部材には同一符号を付してその説明は省略する。
実施例４に係るリン酸ジブチル（ＤＢＰ）分解装置１０Ｃは、実施例１のリン酸ジブチル（ＤＢＰ）分解装置１０Ａにおいて、分解処理部１３の前流側に、添加剤供給手段２３から酸化剤２２を添加している。
【００４６】
ここで、酸化剤２２としては、例えば過酸化水素（Ｈ2Ｏ2）、オゾン（Ｏ3）、酸青（Ｏ2）を例示することができる。
【００４７】
徐々に抜き出された廃液１１に１０％相当の過酸化水素（Ｈ2Ｏ2）を添加し、８０℃程度の加熱下で、分解処理部１３で酸化反応を進行させて、下記反応式（３）により、リン酸（Ｈ3ＰＯ4）として無機化させ、分離除去して処理するようにしている。
[ＣＨ3(ＣＨ2)3Ｏ]2ＰＯＯＨ＋Ｈ2Ｏ2→２（Ｃ4Ｈ9ＯＨ）＋Ｈ3ＰＯ4・２Ｈ2Ｏ  ・・・（３）
【００４８】
本実施例によれば、放射性アルカリ廃液１１を徐々に抜き出しつつ、分解処理部１３で酸化分解処理させて、リン酸ジブチル（ＤＢＰ）を無機化させ廃液中のリン酸ジブチル（ＤＢＰ）を所定濃度以下に分解処理することができる。
【実施例５】
【００４９】
図５は、実施例５に係るリン酸ジブチル（ＤＢＰ）分解装置の概略図である。なお、実施例１に係る放射性廃液中のリン酸ジブチル（ＤＢＰ）分解装置の構成と重複する部材には同一符号を付してその説明は省略する。
実施例５に係るリン酸ジブチル（ＤＢＰ）分解装置１０Ｄは、実施例１のリン酸ジブチル（ＤＢＰ）分解装置１０Ａにおいて、分解処理部１３の前流側に、添加剤供給手段２３からアルカリ剤２４を添加している。
【００５０】
ここで、アルカリ剤２４としては、例えば水酸化ナトリウム（ＮａＯＨ）を例示することができる。他のアルカリ剤としては、例えば水酸化カルシウム（ＫＯＨ）、水酸化リチウム（ＬｉＯＨ）、炭酸ナトリウム（Ｎａ2ＣＯ3）例示することができる。
【００５１】
徐々に抜き出された廃液１１に水酸化ナトリウム水溶液を添加し、８０℃程度の加熱下で、分解処理部１３で鹸化反応を進行させて、下記反応式（４）により、リン酸ナトリウム（Ｎａ3ＰＯ4）として無機化させ、分離除去して処理するようにしている。
[ＣＨ3(ＣＨ2)3Ｏ]2ＰＯＯＨ＋ＮａＯＨ＋Ｈ2Ｏ→２（Ｃ4Ｈ9ＯＨ）＋Ｎａ3ＰＯ4  ・・・（４）
【００５２】
図６は、実施例５に係る他のリン酸ジブチル（ＤＢＰ）分解装置の概略図である。
また、図６に示すリン酸ジブチル（ＤＢＰ）分解装置１０Ｅのように、鉄を充填した分解処理部１３Ａを設置することで、下記反応式（５）により、鉄の表面にリン化鉄を生成するようにしてもよい。
Ｎａ3ＰＯ4＋Ｆｅ→ＦｅＰＯ4・２Ｈ2Ｏ、Ｆｅ2Ｐ、ＦｅＰ2・・・（５）
【００５３】
本実施例によれば、放射性アルカリ廃液１１を徐々に抜き出しつつ、分解処理部１３で鹸化反応により分解処理させて、リン酸ジブチル（ＤＢＰ）を無機化させ廃液中のリン酸ジブチル（ＤＢＰ）を所定濃度以下に分解処理することができる。
【００５４】
また、鉄触媒を併用することで、リン化鉄として分解処理することができる。
【実施例６】
【００５５】
図７は、実施例６に係るリン酸ジブチル（ＤＢＰ）分解装置の概略図である。なお、実施例１に係る放射性廃液中のリン酸ジブチル（ＤＢＰ）分解装置の構成と重複する部材には同一符号を付してその説明は省略する。
実施例６に係るリン酸ジブチル（ＤＢＰ）分解装置１０Ｆは、実施例１のリン酸ジブチル（ＤＢＰ）分解装置１０Ａにおいて、分解処理部１３Ａの前流側に、添加剤供給手段２３から酸化剤２２及びアルカリ剤２４を添加している。
また、実施例３のように、鉄を充填した分解処理部１３Ａを設置することで、極圧分解反応も併用するようにしている。
【００５６】
抜き出した廃液１１に１０％相当の水あるいは、８０℃程度の加熱下で加水分解させてリン（Ｐ）をリン酸（Ｈ3ＰＯ4）として無機化させる。また金属の鉄（Ｆｅ）と接触させ極圧反応を進行させて、ＦｅＰＯ4・２Ｈ2Ｏ、 Ｆｅ2Ｐ、ＦｅＰ2として無機化させる。さらに過酸化水素等の酸化剤２２を添加し、８０℃程度の加熱下で、酸化反応を進行させて、Ｈ3ＰＯ4として無機化させている。また、アルカリ剤２４を添加して鹸化反応を行い、リン酸ジブチル（ＤＢＰ）を無機化させ廃液中のリン酸ジブチル（ＤＢＰ）を所定濃度以下に分解処理することができる。さらに、鉄触媒を併用することで、リン化鉄として分解処理することができる。
【符号の説明】
【００５７】
１０Ａ〜１０Ｆ  放射性廃液中のリン酸ジブチル（ＤＢＰ）分解装置
１１  放射性アルカリ廃液
１２  貯蔵タンク
１３  分解処理部
１４  放射性廃液処理液
１５  処理液タンク
【図１−１】
2014232016.tif 000003
【図１−２】
2014232016.tif 000004
【図２】
2014232016.tif 000005
【図３】
2014232016.tif 000006
【図４】
2014232016.tif 000007
【図５】
2014232016.tif 000008
【図６】
2014232016.tif 000009
【図７】
2014232016.tif 000010